(57)【要約】【課題】  サスペンションワイヤのハンダ付け時に対物レンズや対物レンズホルダに生じる位置ずれを防止する。【解決手段】  対物レンズ１２を保持する対物レンズホルダ１３を弾性支持するサスペンションワイヤ１４の一端を対物レンズホルダ１３に設けた第１の固定部２３に固定する。また、サスペンションワイヤ１４の中途部を第２の固定部２０でダンパ剤により支持する。サスペンションワイヤ１４の他端に屈曲部１４ａを形成し、この屈曲部１４ａをダンパベース１１に設けられた第３の固定部２１の凹部２１ａ壁面に所定の付勢力を以て衝合させることにより、サスペンションワイヤ１４を第３の固定部２１に固定する。【選択図】  図１
2005310325.tif 000002
【特許請求の範囲】
【請求項１】
光記録媒体に対して記録再生光を照射する光ピックアップ装置において、
対物レンズを保持する対物レンズホルダと、
前記対物レンズホルダに設けられた第１の固定部に一端が固定され、前記対物レンズホルダを弾性支持する少なくとも一対のサスペンションワイヤと、
前記サスペンションワイヤの中途部をダンパ剤により支持する第２の固定部と、前記サスペンションワイヤの他端を支持する第３の固定部が設けられたダンパベースとを備え、
前記サスペンションワイヤの前記他端には、前記第３の固定部に設けられた凹部に衝合する屈曲部が形成され、
前記屈曲部が所定の付勢力を以て前記凹部の壁面に衝合することにより、前記サスペンションワイヤが前記第３の固定部に固定されていること
を特徴とする光ピックアップ装置。
【発明の詳細な説明】
【技術分野】
【０００１】
本発明は、光記録媒体に対して記録再生光を照射する光ピックアップ装置に関し、詳しくは対物レンズを保持する対物レンズホルダの支持構造に関する。
【背景技術】
【０００２】
光ディスクドライブは、例えば、ＣＤ，ＣＤ−ＲＯＭ，ＣＤ−Ｒ，ＣＤ−ＲＷ，ＤＶＤ-ＲＯＭ，ＤＶＤ＋Ｒ，ＤＶＤ−Ｒ，ＤＶＤ−ＲＡＭ，ＤＶＤ＋ＲＷ，ＤＶＤ−ＲＷなど光ディスクに記録された情報を読み出したり、あるいは情報を書き込んだりするための装置である。この種の光ディスクドライブは、光ディスクからの情報の読出し、或いは光ディスクへの情報の書き込みを実現するため、光ディスクに対してレーザ光を照射し、またその反射光を検出するための光ピックアップ装置を備えている。
【０００３】
一般に、光ピックアップ装置は、レーザビームを出射するレーザ光源と、この出射されたレーザビームを光ディスクに導くと共に、その反射光を光検出器に導く光学系とを備えている。そして、この光学系には、光ディスクに対向するように配置される対物レンズが含まれている。
【０００４】
光ピックアップ装置に用いられる対物レンズは、回転駆動される光ディスクの記録面（トラック）に正確にレーザ光を集光するように、光軸に沿ったフォーカス方向及び光ディスクの半径方向に沿ったトラック方向に関して精度良く位置制御（フォーカシング制御・トラッキング制御）される必要がある。また、光ピックアップ装置は、近年における光ディスクの記録密度の向上に伴い、光ディスクの反りによる影響を除去又は抑制することが要求されており、この要求を満たすために対物レンズを高精度にチルティング制御することが必要とされている。
【０００５】
従来の光ピックアップ装置は、上述したフォーカシング制御、トラッキング制御、及びチルティング制御を実現するために、対物レンズを保持する対物レンズホルダを、ダンパベース部に一端が固定された複数のサスペンションワイヤによって弾性支持する構造とされている（特許文献１参照）。
【０００６】
従来の光ピックアップ装置においては、例えば紫外線硬化樹脂や接着剤などのダンパ剤を用いてサスペンションワイヤがダンパベース部に固定されている。このような固定手法が採用されることにより、ダンパベース部に対するサスペンションワイヤ取り付け作業を簡略化し、さらにはサスペンションワイヤの取り付けに要するコストの低減を実現している。
【特許文献１】特開２００１−２４３６７３号公報
【発明の開示】
【発明が解決しようとする課題】
【０００７】
ところで、光ピックアップ装置における各々のサスペンションワイヤは、電気的な導通を図るためにプリント基板にハンダ付けされる。このとき、従来の光ピックアップ装置においては、ハンダ付けを行う際の熱がサスペンションワイヤを伝わってダンパ剤に付与され、ダンパ剤が一時的にゆるんでしまうという問題があった。
【０００８】
ダンパ剤に一時的なゆるみが生じると、対物レンズや、駆動コイルを有する対物レンズホルダに位置ずれが生じ、高精度な組み付けが損なわれてしまうといった問題が生じる。
【０００９】
上述した問題を解決する目的で、例えばダンパベースの後端部に基板を配設してハンダ付けすることによってサスペンションワイヤの電気的な導通と固定とを行う構造が提案されているが、このような構造を採用した場合には、専用の基板を新たに設ける必要があるため、光ピックアップ装置の低コスト化を阻害する要因となってしまう。
【００１０】
そこで、本発明は、上述した実情に鑑みてなされたものであり、簡略な構造によりサスペンションワイヤの電気的導通と固定を図ることにより製品の低コスト化を実現するとともに、対物レンズや対物レンズホルダに生じる位置ずれを防止して高精度な記録再生に適した光ピックアップ装置を提供することを目的とする。
【課題を解決するための手段】
【００１１】
本発明に係る光ピックアップ装置は、光記録媒体に対して記録再生光を照射する光ピックアップ装置において、対物レンズを保持する対物レンズホルダと、前記対物レンズホルダに設けられた第１の固定部に一端が固定され、前記対物レンズホルダを弾性支持する少なくとも一対のサスペンションワイヤと、前記サスペンションワイヤの中途部をダンパ剤により支持する第２の固定部と、前記サスペンションワイヤの他端を支持する第３の固定部が設けられたダンパベースとを備え、前記サスペンションワイヤの前記他端には、前記第３の固定部に設けられた凹部に衝合する屈曲部が形成され、前記屈曲部が所定の付勢力を以て前記凹部の壁面に衝合することにより、前記サスペンションワイヤが前記第３の固定部に固定されていることを特徴とするものである。
【００１２】
以上のように構成された本発明に係る光ピックアップ装置によれば、サスペンションワイヤに形成された屈曲部により当該サスペンションワイヤを第３の固定部で固定された構造とされている。このため、サスペンションワイヤの電気的な導通を図るために、このサスペンションワイヤをプリント基板にハンダ付けする際においても、ハンダ付けを行う第３の固定部近傍にダンパ剤が配設されていないことから、ダンパ剤が一時的にゆるんでしまうなどの問題が生じることがない。
【発明の効果】
【００１３】
本発明に係る光ピックアップ装置によれば、サスペンションワイヤをプリント基板にハンダ付けする際にダンパ剤のゆるみが生じる虞がないため、対物レンズや、高精度に組み付けられた駆動コイルを有する対物レンズホルダに位置ずれが生じることがない。したがって、高精度な記録再生に適した光ピックアップを実現することができる。
【００１４】
また、サスペンションワイヤが、それ自身に形成された屈曲部によってダンパベースに固定される構造とされていることから、サスペンションワイヤのダンパベースに対する組み付けを極めて容易に行うことができ、組み立て効率を向上させることができる。また、ダンパベースの後端部にサスペンションワイヤ固定用の基板を新たに設ける必要がない。したがって、製品の低コスト化を図ることができる。
【発明を実施するための最良の形態】
【００１５】
以下、本発明の実施の形態について、図面を参照しながら詳細に説明する。以下では、本発明を適用した光ピックアップ装置として、図１に示す光ピックアップ装置１０を例示して説明する。なお、図１は、光ピックアップ装置１０の概略を示す斜視図である。
【００１６】
光ピックアップ装置１０は、図１に示すように、ダンパベース１１と、対物レンズ１２と、この対物レンズ１２を保持する対物レンズホルダ１３と、ダンパベース１１に対して対物レンズホルダ１３を揺動可能に弾性支持する４本のサスペンションワイヤ１４及び２本のリードワイヤ１５と、ダンパベース１１及び対物レンズホルダ１３を搭載したヨークベース１６と、ヨークベース１６に固定された磁石１７，１８とを備えている。
【００１７】
光ピックアップ装置１０は、図示しない光ディスク装置の光学ベースに搭載される。光学ベースは、光ディスク装置のガイドバーに取り付けられ、光ディスク装置に装着された光ディスクの半径方向（トラッキング方向（以下、Ｔｒ方向と称する））に沿って移動自在とされる。また、光学ベースには、レーザダイオード、光検出器、及び各種光学素子からなる光学系が取り付けられており、レーザダイオードから出射されたレーザ光が対物レンズ１２を通して光ディスクに照射され、その反射光が光り検出器に導かれるよう構成される。
【００１８】
ダンパベース１１において、光ディスクの接線方向（タンジェンシャル方向（以下、Ｔｇ方向と称する）の両側には、第２の固定部２０及び第３の固定部２１がそれぞれ形成されている。第２の固定部２０には、サスペンションワイヤ１４の中途部を支持する部位に凹部が形成され、例えば紫外線硬化樹脂等のダンパ剤２０ａが充填されている。
【００１９】
対物レンズホルダ１３には、チルティングコイル３０及びその周囲に巻回されたフォーカシングコイル３１を有する中空状のコイル部材３２と、トラッキングコイル３３とを備えており、これらチルティングコイル３０、フォーカシングコイル３１、及びトラッキングコイル３３に供給する電流を適切に制御することにより、対物レンズホルダ１３は、ヨークベース１６に形成されたヨーク、及び磁石１７，１８に生じる磁界に基づき、Ｔｇ方向に垂直なＴｒ方向に沿って移動し、或いはＴｇ方向及びＴｒ方向に垂直なフォーカシング方向（以下、Ｆ方向と称する）に沿って移動する。
【００２０】
フォーカシングコイル３１及びトラッキングコイル３３の端部は、対物レンズホルダ１３のＴｇ方向の両側の上下に設けられた第１の固定部２３に接続される。ここで、この第１の固定部２３には、サスペンションワイヤ１４の一端が固定されている。
【００２１】
すなわち、各々のサスペンションワイヤ１４は、その一端が第１の固定部２３に固定されるとともに、その中途部で第２の固定部２０の凹部に充填されたダンパ剤２０ａにより支持されている。また、各々のサスペンションワイヤ１４は、他端が第３の固定部２１により固定されている。
【００２２】
ここで、サスペンションワイヤ１４の他端には、図２に示すように、第３の固定部２１に設けられた凹部２１ａの壁面に衝合する屈曲部１４ａが形成されている。サスペンションワイヤ１４は、屈曲部１４ａが所定の付勢力を以て凹部２１ａの壁面に衝合することにより第３の固定部２１に固定されている。
【００２３】
上述のように、光ピックアップ装置１０は、サスペンションワイヤ１４に形成された屈曲部１４ａにより当該サスペンションワイヤ１４を第３の固定部２１に固定された構造とされている。このため、サスペンションワイヤ１４の電気的な導通を図るために、このサスペンションワイヤ１４をプリント基板にハンダ付けする際においても、ハンダ付けを行う第３の固定部２１近傍にダンパ剤が配設されていないことから、ダンパ剤が一時的にゆるんでしまうなどの問題が生じることがない。
【００２４】
このため、サスペンションワイヤ１４をハンダ付けする際に、対物レンズ１２や、高精度に組み付けられた駆動コイル（チルティングコイル３０、フォーカシングコイル３１、及びトラッキングコイル３３）を有する対物レンズホルダ１３に位置ずれが生じることがない。したがって、光ピックアップ装置１０は、高精度な記録再生に適した製品とすることができる。
【００２５】
また、サスペンションワイヤ１４が、それ自身に形成された屈曲部１４ａによってダン
パベース１１に固定される構造とされていることから、サスペンションワイヤ１４のダンパベース１１に対する組み付けを極めて容易に行うことができ、組み立て効率を向上させることができる。また、ダンパベース１１の後端部にサスペンションワイヤ１４を固定するための専用基板を新たに設ける必要がない。したがって、製品の低コスト化を図ることができる。
【００２６】
なお、以上の説明においては、図１及び図２に図示したように、サスペンションワイヤ１４に形成された屈曲部１４ａの形状として、同一面内で直角に曲げられた４つの角部を有する形状を例示したが、屈曲部１４ａの形状は、所定の付勢力を以て凹部２１ａの壁面に衝合することによりサスペンションワイヤ１４を第３の固定部２１に固定することができれば任意である。
【００２７】
具体的には、例えば図３に示すように、サスペンションワイヤ１４における凹部２１ａの壁面に衝合する部位に、凸状の屈曲部１４ａを形成するとしてもよい。また、例えば図４に示すように、同一面内で所定の角度で曲げられた３つの角部を有する形状でサスペンションワイヤ１４の屈曲部１４ａを形成するとしてもよい。
【図面の簡単な説明】
【００２８】
【図１】本発明の実施の形態として例示する光ピックアップ装置の概略を示す斜視図である。
【図２】同光ピックアップ装置において屈曲部が形成された部位のサスペンションワイヤを拡大して示す要部拡大図である。
【図３】本発明の別の実施の形態として示すサスペンションワイヤの屈曲部形状を説明するための要部拡大図である。
【図４】本発明のさらに別の実施の形態として示すサスペンションワイヤの屈曲部形状を説明するための要部拡大図である。
【符号の説明】
【００２９】
１０    光ピックアップ装置
１１    ダンパベース
１２    対物レンズ
１３    対物レンズホルダ
１４    サスペンションワイヤ
１４ａ  屈曲部
１５    リードワイヤ
１６    ヨークベース
２０    第２の固定部
２１    第３の固定部
２２    第１の固定部
３０    チルティングコイル
３１    フォーカシングコイル
３３    トラッキングコイル
【図１】
2005310325.tif 000003
【図２】
2005310325.tif 000004
【図３】
2005310325.tif 000005
【図４】
2005310325.tif 000006